(57)【要約】【課題】カメラ等の撮影手段を表示画面および操作部本体の幅方向中央領域に設けることにより被写体を直感的に捉えてイメージ通りの画像を得ることができるようになると共に装置の薄型化を図れるようになる携帯端末装置を提供する。【解決手段】携帯端末装置１０が、表示画面２２を有する蓋体２０とその背面側の操作部本体３０とを備え、操作部本体３０の一方の面に操作部３１、他方の面の操作部本体３０と表示画面２２の幅方向中央領域にカメラ３５を搭載する。カメラ３５と干渉しないように蓋体２０と操作部本体３０との間に両者２０，３０を相対回動可能に連結するヒンジ体４０を配設し、ヒンジ体４０が、蓋体２０を操作部本体３０に重ね合わせた状態に設定する機能と、蓋体２０を操作部本体３０に横向き状態に設定する機能と、蓋体２０を操作部本体３０に両者が同一方向に延設状態に設定する機能を備える。【選択図】図１
2010109767.tif 000002
【特許請求の範囲】
【請求項１】
表面に表示画面を有する蓋体とこの蓋体の背面側に配設された操作部本体とを備え、この操作部本体が、前記蓋体の背面と対向する一方の面に各種操作を行う操作部を有すると共に他方の面の前記操作部本体および前記表示画面の幅方向中央領域に撮影手段を搭載した構成とし、
前記蓋体と操作部本体の相互間でかつ前記撮影手段と干渉しない位置に前記蓋体と操作部本体とをその対向状態を維持して相対的に回動可能に連結する連結機構を配設し、
この連結機構が、
前記蓋体を前記操作部本体に重ね合わせた状態に設定し保持する蓋体設定保持機能と、この蓋体設定保持機能に連続して前記蓋体を前記操作部本体に横向き状態に設定する蓋体横向き設定機能と、この蓋体横向き設定機能に連続して前記蓋体を前記操作部本体にあって両者が同一方向に延設された状態に設定する蓋体延設設定機能を備えた構造とし、
これにより、前記撮影手段を前記操作部本体の背面である他方の面の幅方向中央部に確実に配置可能としたことを特徴とする携帯端末装置。
【請求項２】
前記請求項１に記載の携帯端末装置において、
前記操作部を前記操作部本体の長手方向の一方の側に配置すると共に前記撮影手段を他方の側に配置し、
前記連結機構を前記撮影手段に対して前記操作部本体の幅方向のいずれか一方側に配設したことを特徴とする携帯端末装置。
【請求項３】
前記請求項１または請求項２に記載の携帯端末装置において、
前記連結機構を、
前記蓋体の背面に植設されると共にその突出部が前記蓋体の回動時のガイドとなるガイドピンと、
前記操作部本体の一方の面に固定され前記ガイドピンの回動移動をガイドするガイド溝を有する固定側部材と、を含んだ構成としたことを特徴とする携帯端末装置。
【請求項４】
前記請求項３に記載の携帯端末装置において、
前記ガイドピンを前記蓋体の幅方向中心領域に配置すると共に、前記ガイド溝を前記ガイドピンの回動移動時の始点位置と終点位置およびこれらの中間に設けられた中間点位置とを備えた形状とし、
前記始点位置と終点位置とを前記撮影手段を基準として前記操作部本体の長手方向に沿った等距離位置に設定すると共に、前記中間点位置を前記操作部本体の幅方向に沿ってかつ前記撮影手段と前記操作部本体の側端部との中間領域に設定し、
前記ガイド溝を、前記撮影手段側に膨出しかつ前記始点位置と中間点位置とを結ぶ円弧状の第１の溝部と、この第１の溝部に連続すると共に前記撮影手段側に膨出しかつ前記中間点位置と終点位置とを結ぶ円弧状の第２の溝部とで構成し、
これにより、前記撮影手段を前記操作部本体の背面である他方の面の幅方向中央部に確実に配置可能とたことを特徴とする携帯端末装置。
【請求項５】
前記請求項４に記載の携帯端末装置において、
前記固定側部材の幅方向の前記撮影手段側の端面外形形状を前記第１の溝部と第２の溝部との円弧状に沿った形状に形成すると共にこれによって形成された凹部領域に前記撮影手段が配置されていることを特徴とする携帯端末装置。
【請求項６】
前記請求項４または請求項５に記載の携帯端末装置において、
前記ガイドピンを短冊状のピン固定用ガイド部材に固着すると共に当該ピン固定用ガイド部材を前記蓋体の幅方向に沿ってその背面に固着し、
前記第１の溝部および第２の溝部の円弧の中心位置をそれぞれ前記固定側部材上に設けると共に、前記中心位置に前記ピン固定用ガイド部材の長手方向両端部に係合する第１係合ピンおよび第２係合ピンをそれぞれ設け、
前記ピン固定用ガイド部材に前記第１係合ピンおよび第２係合ピンにそれぞれ係合可能な第１係合溝および第２係合溝を形成したことを特徴とする携帯端末装置。
【請求項７】
前記請求項３ないし請求項６のいずれか一つに記載の携帯端末装置において、
前記操作部本体に前記ガイドピンに係合すると共に当該ガイドピンを常時外側に押圧するガイドピン押圧機構を設けたことを特徴とする携帯端末装置。
【請求項８】
前記請求項７に記載の携帯端末装置において、
前記ガイドピン押圧機構を、一端部が前記ガイドピンに係合されたＶ字状ばね部材と、このＶ字状ばね部材の他端部が回動自在に係合されたバネ固定ピンとで構成し、
このバネ固定ピンを、前記撮影手段と前記中間点位置との間の前記操作部本体上に設けると共に、前記Ｖ字状ばね部材の頂点部を前記ガイドピンが前記ガイド溝の始点位置にあるときに前記中間点位置側に配設し、
これにより、前記撮影手段を前記操作部本体の背面である他方の面の幅方向中央部に確実に配置可能としたことを特徴とする携帯端末装置。
【請求項９】
前記請求項８に記載の携帯端末装置において、
前記Ｖ字状ばね部材と前記バネ固定ピンとを前記操作部本体の前記一方の面と前記固定側部材との間の空間に配置したことを特徴とする携帯端末装置。
【請求項１０】
前記請求項８または請求項９に記載の携帯端末装置において、
前記Ｖ字状ばね部材をねじりコイルバネで構成したことを特徴とする携帯端末装置。
【請求項１１】
前記請求項1ないし請求項１０のいずれか一つに記載の携帯端末装置において、
前記撮影手段がカメラであることを特徴とする携帯端末装置。
【請求項１２】
前記請求項1ないし請求項１０のいずれか一つに記載の携帯端末装置において、
前記撮影手段が指紋センサであることを特徴とする携帯端末装置。
【発明の詳細な説明】
【技術分野】
【０００１】
本発明は携帯端末装置に係り、更に詳しくは、表示画面を備えた蓋体が、操作部およびカメラ等の撮影手段を備えた操作部本体に対して、完全に重なった状態、横向きになった状態、同一方向に延設した状態の３態様に保持されると共に、カメラ等の撮影手段が表示画面と操作部本体との幅方向中心に搭載され、かつ全体の薄型化を図った携帯端末装置に関する。
【背景技術】
【０００２】
近年、携帯端末装置においてカメラを搭載したものが多くなっている。
カメラ付携帯端末装置においては、操作部本体に対するカメラの位置および液晶などの表示画面に対するカメラの位置は非常に重要である。
カメラを搭載した携帯端末装置において、被写体を直感的に捉えてイメージ通りの画像を得るためには、そのカメラが操作部本体の中心および表示画面の中心に配置されていることが望ましい。
【０００３】
また、表示画面を、縦長の操作部本体に対して縦向き状態で使用する場合と、横向き状態で使用することができるカメラ付携帯端末装置が増加している(例えば、特許文献１および特許文献２参照)。
【０００４】
特許文献１に開示された携帯端末装置は、表示画面を備えた上ケースと操作部を備えた下ケースとで構成され、両ケースが互いに開閉自在とされている。カメラと表示画面とは上ケースにおいて同時に９０度回転し、横向き状態とする構成となっている。
すなわち、上ケースには、カメラと表示画面とを同時に回転させる回転軸で連結した回転連結手段が設けられ、さらに、回転軸の角度を一旦固定させる回転留めが設けられている。そして、この特許文献１に開示された携帯端末装置では、カメラが上ケースの中心および表示画面の中心に位置するように設計されている。
【０００５】
また、上記特許文献２に開示された携帯電話機では、表示画面を備えた表示部と、操作部を備えた本体部とが、互いの対向状態を維持したまま９０度ずつ回動できるように構成されている。
この携帯電話機では本体部の全体中心に回動機構が設けられており、そのため、操作部は本体部の長手方向において回動機構の一方の側に配置され、かつ挿抜可能に設けられている。そして、表示部の幅方向中央部で長手方向両端部にカメラが搭載された構成となっている。
【０００６】
【特許文献１】特開２００４−３５６９７５号公報
【特許文献２】特開２００６−８０７１３号公報
【発明の開示】
【発明が解決しようとする課題】
【０００７】
しかしながら、上記特許文献１に開示された携帯端末装置では、カメラが表示画面と上ケースとの中心部に設けられているので、操作性はよい。しかし、カメラと表示画面とが同時に９０度回転するような回転軸を備えた回転連結手段が用いられており、この回転連結手段が上ケースの厚さ方向に配設されていので、上ケースの薄型化、ひいては携帯端末装置全体の薄型化が困難である、という問題がある。
【０００８】
上記特許文献２に開示された携帯電話では、本体部の中心に回動機構が設けられており、この回動機構が、円盤状の板カムと、この板カムを位置決めするための複数のカム、板バネ等を含んで構成されている。また、板カムが本体部の中心に配置されており、操作部が本体部に対して挿抜可能な構成となっているので、操作部を挿抜させるための機構も本体部に設けなければならず、構造が複雑となり、装置が大型化しまた厚くなるという問題がある。
さらに、カメラが表示部の長手方向両端部に配置されているので、被写体に対して位置決めしにくく、操作性が悪いという問題もある。
【０００９】
このため、本発明では、前記従来例の不都合を改善し、カメラ等の撮影手段を表示画面および操作部本体の幅方向中央領域に設けることにより被写体を直感的に捉えてイメージ通りの画像を得ることができるようになると共に装置の薄型化を図れるようになる携帯端末装置を提供することを目的とする。
【課題を解決するための手段】
【００１０】
上記目的を達成するため、本発明に係る携帯端末装置は、表面に表示画面を有する蓋体とこの蓋体の背面側に配設された操作部本体とを備え、この操作部本体が、前記蓋体の背面と対向する一方の面に各種操作を行う操作部を有すると共に他方の面の前記操作部本体および前記表示画面の幅方向中央領域に撮影手段を搭載した構成とし、前記蓋体と操作部本体の相互間でかつ前記撮影手段と干渉しない位置に前記蓋体と操作部本体とをその対向状態を維持して相対的に回動可能に連結する連結機構を配設し、この連結機構が、前記蓋体を前記操作部本体に重ね合わせた状態に設定し保持する蓋体設定保持機能と、この蓋体設定保持機能に連続して前記蓋体を前記操作部本体に横向き状態に設定する蓋体横向き設定機能と、この蓋体横向き設定機能に連続して前記蓋体を前記操作部本体にあって両者が同一方向に延設された状態に設定する蓋体延設設定機能を備えた構造とし、これにより、前記撮影手段を前記操作部本体の背面である他方の面の幅方向中央部に確実に配置可能としたことを特徴とする。
【発明の効果】
【００１１】
本発明は、以上のように構成されているので、撮影手段により被写体を撮影する際、撮影手段が操作部本体および表示画面の幅方向中央領域に搭載されているので、被写体を直感的に捉えてイメージ通りの画像を得ることができるようになる。
また、蓋体と操作部本体とを連結する連結機構が撮影手段と干渉しない位置に設けられ、その連結機構が、蓋体設定保持機能と蓋体横向き設定機能と蓋体延設設定機能とを備えた構成となっており、サイクロイド機構と同様の作用により、蓋体を回動させることができるので、連結機構の回動機構と撮影手段の回動機構とが厚さ方向に重ならず、その結果、装置の薄型化を図ることができる。
【発明を実施するための最良の形態】
【００１２】
以下、図１〜３に基づいて、本発明の携帯端末装置１０の一実施形態を説明する。
携帯端末装置１０は、図１〜３に示すように、表面に表示画面２２を有する蓋体２０と、この蓋体２０の背面側に配置されると共にその背面と対向する一方の面に各種操作を行う操作キーを備えた操作部３１と、他方の面に撮影手段であるカメラ３５を装備した操作部本体３０と、上記カメラ３５と干渉しない位置に設けられると共に、上記蓋体２０と操作部本体３０とを、互いの対向状態を維持して相対的に回動可能に連結する連結機構であるヒンジ体４０とを備えて構成されている。
【００１３】
上記携帯端末装置１０は、まず、図１（Ａ），（Ｂ）に示すように、操作部３１が隠れた状態、つまり蓋体２０が操作部本体３０に対して重ね合わせられた状態を維持することができるようになっている。この状態は、携帯端末装置１０が未使用時の状態である。
【００１４】
また、図２（Ａ），（Ｂ）に示すように、蓋体２０と操作部本体３０とを、操作部３１が表れた状態となるように、蓋体２０と操作部本体３０とを相対的に９０度回動させ、蓋体２０を操作部本体３０に対して横向き状態とし、かつその状態を維持することができるようになっている。この状態は、携帯端末装置１０の使用時に蓋体２０の表示画面２２を横向きで見る際の状態である。
【００１５】
さらに、図３（Ａ），（Ｂ）に示すように、上記図２（Ａ），（Ｂ）の状態から、再度蓋体２０と操作部本体３０とを相対的に回動させ、蓋体２０を操作部本体３０に対して両者２０，３０が同一方向に延設した状態を維持することができるようになっている。この状態は、携帯端末装置１０の使用時に蓋体２０の表示画面２２を縦向きで見る際の状態である。
なお、図１（Ａ）と図３（Ａ）とにおいて、蓋体２０と操作部本体３０との外形がズレてた状態で表示されているが、これはわかりやすく表示したものであり、両者２０，３０は、実際にはズレないような構成となっている。
【００１６】
図４〜図８には、前記ヒンジ体４０の詳細が示されている。
ヒンジ体４０は、図４、図６に示すような蓋体２０に設けられた可動側ヒンジ部４２と、図５、図６に示すように操作部本体３０に設けられた固定側ヒンジ部４６とを備えて構成されている。
なお、図４は蓋体２０の背面から見た図であり、図５は操作部本体３０の他方の面、つまりカメラ３５が搭載されている面から見た図である。
【００１７】
可動側ヒンジ部４２は、短冊形状のピン固定用ガイド部材４３と、このピン固定用ガイド部材４３に、操作部本体３０側に突出して設けられた丸棒状のガイドピン４４とで構成されており、ピン固定用ガイド部材４３は、蓋体２０の背面に例えばビス４５で固定して取り付けられている。
【００１８】
ガイドピン４４は、ピン固定用ガイド部材４３の長手方向中心からやや一方寄り（図４では左側寄り）で、かつ蓋体２０の幅方向中心領域に配置されている。このガイドピン４４は、後に述べる固定側ヒンジ部４８を構成する固定側部材４９のガイド溝４９Ｂと係合するようになっている。
【００１９】
ピン固定用ガイド部材４３の幅方向の一方側端面、かつ長手方向一端側には半円形状に切欠かれた第１係合溝４３Ａが形成され、また、長手方向他端側には半円形状に切欠かれた第２係合溝４３Ｂが形成されている。
なお、第１係合溝４３Ａと第２係合溝４３ＢはＶ字状の切欠きでもよい。
第１係合溝４３Ａは前記固定側ヒンジ部４８の第1係合ピン５１と係合可能となっており、第２係合溝４３Ｂは第２係合ピン５２に係合可能となっている。
【００２０】
図５〜図７に示すように、固定側ヒンジ部４８は、操作部本体３０の前記操作部３１が設けられている一方の面において操作部３１の上方位置に固定されている。
【００２１】
この固定側ヒンジ部４８は、矩形形状となった固定側部材４９を備えて構成されている。この固定側部材４９は、図６に示すように板状部材で形成され、長手方向両端側を例えばビス５０により、操作部本体３０の一方の面から所定寸法浮かした状態で取り付けられている。そのため、操作部本体３０の一方の面と固定側部材４９との間には所定寸法の空間が形成されている。
【００２２】
また、操作部本体３０の他方の面には前記カメラ３５が搭載されている。このカメラ３５は操作部本体３０および蓋体２０における表示画面２２の幅方向中心位置に配置されている。
前記固定側部材４９のカメラ３５側端面は、後に詳述する略３字状のガイド溝４９Ｂに沿った形状に形成され、中央部近傍が凹部４９Ａとなっている。そして、前記カメラ３５はこの凹部４９Ａに配置されている。
【００２３】
固定側部材４９には、前記ガイドピン４４と係合するガイド溝４９Ｂが形成されており、このガイド溝４９Ｂは、ガイドピン４４の回動移動時の始点位置ａと、終点位置ｃと、これらの中間に設けられた中間点位置ｂとを備えた形状に形成されている。
上記始点位置ａと終点位置ｃとは、操作部本体３０の幅方向中央領域で、かつカメラ３５を基準として操作部本体３０の長手方向に沿った等距離位置に設定されている。また、中間点位置ｂは、操作部本体３０の幅方向に沿ってかつカメラ３５と操作部本体３０の側端部との中間領域に設定されている。
【００２４】
そして、ガイド溝４９Ｂは、カメラ３５側に膨出しかつ始点位置ａと中間点位置ｂとを結ぶ円弧状の第１の溝部４９Ｃと、この第１の溝部４９Ｃに連続すると共に、カメラ３５側に膨出しかつ中間点位置ｂと終点位置ｃとを結ぶ円弧状の第２の溝部４９Ｄとで構成されている。
ここで、第１の溝部４９Ｃと第２の溝部４９Ｄとの円弧形状は、略１／４の円周形状に形成されている。そして、このような互いに連続する第１の溝部４９Ｃと第２の溝部４９Ｄとにより、サイクロイド機構が構成されている。
【００２５】
また、前述のように、固定側部材４９と操作部本体３０の一方の面との間には所定寸法の空間が形成されているので、ガイドピン４４が第１の溝部４９Ｃ等に挿通されたとき、そのガイドピン４４の先端が上記空間部内に突出し、これにより、ガイドピン４４が第１の溝部４９Ｃ等から抜けることなく、確実にガイドされる。
【００２６】
固定側部材４９には、第１の溝部４９Ｃおよび第２の溝部４９Ｄの円弧の中心位置となる第１係合ピン５１および第２係合ピン５２がそれぞれ設けられている。
第1係合ピン５１と第２係合ピン５２とは丸棒からなるピン状に形成され、図６に示すように、固定側部材４９の表面から蓋体２０の背面側に突出して設けられている。
そして、蓋体２０と操作部本体３０とが組み立てられたとき、第1係合ピン５１と第２係合ピン５２の先端面は、図７、図８に示すように、蓋体２０の背面と当接するように寸法設定されている。また、第1係合ピン５１と第２係合ピン５２とには、ピン固定用ガイド部材４３の第１係合溝４３Ａと第２係合溝４３Ｂとが係合可能となっている。
【００２７】
以上のように、ガイド溝４９Ｂが第１の溝部４９Ｃと第２の溝部４９Ｄとで構成され、これらの溝部４９Ｃ、４９Ｄにガイドピン４４が係合するようになっている。ここで、第１の溝部４９Ｃの前記始点位置ａにガイドピン４４が係合しているとき、前記蓋体２０と操作部本体３０とが完全に重なった状態、つまり図１の状態に維持された状態であり、携帯端末装置１０の未使用状態である。
【００２８】
また、第１の溝部４９Ｃおよび第２の溝部４９Ｄの中間点位置ｂにガイドピン４４が係合しているとき、蓋体２０が操作部本体３０に対して横向き状態、つまり図２の状態に維持された状態である。
【００２９】
さらに、第２の溝部４９Ｄの終点位置ｃにガイドピン４４が係合しているとき、蓋体２０が操作部本体３０に対して同一方向に延設状態、つまり図３の状態に維持された状態である。
【００３０】
以上に説明したように、ヒンジ体４０は、蓋体２０を操作部本体３０に対して重ね合わせた状態に設定し保持する蓋体設定保持機能と、この蓋体設定保持機能に連続して蓋体２０を操作部本体３０に横向き状態に設定する蓋体横向き設定機能と、この蓋体横向き設定機能に連続して蓋体２０を操作部本体３０にあって両者が同一方向に延設された状態に設定する蓋体延設設定機能とを備えて構成されている。
【００３１】
図７、図８に示すように、ガイドピン４４とガイド溝４９Ｂとの係合により、蓋体２０を操作部本体３０に対して前述のように始点位置ａに係止するとき、中間点位置ｂに係止するとき、および終点位置ｃに係止するとき、それぞれの位置でガイドピン４４をガイド溝４９Ｂの端部側、つまり外側に押圧するガイドピン押圧機構５５が設けられている。
【００３２】
すなわち、ガイドピン押圧機構５５は、一端部がガイドピン４４に係合されたＶ字状ばね部材であるねじりコイルバネ５６と、このねじりコイルバネ５６の他端部が回動自在に係合されたバネ固定ピン５７とで構成されている。
バネ固定ピン５７は丸棒部材で形成され、前記操作部本体３０の一方の面上の前記カメラ３５と中間点位置ｂとの間に立設されている。また、バネ固定ピン５７の高さは、操作部本体３０の一方の面と固定側部材４９の裏面との寸法と略同じになるように設定されている。
【００３３】
ねじりコイルバネ５６は、そのＶ字状の頂点部が、ガイドピン４４が前記ガイド溝４９の始点位置ａに係合しているとき中間点位置ｂ側になるように配置されている。
このようなねじりコイルバネ５６は両端部が開く方向に付勢されている。これにより、ガイドピン４４は常時外側に付勢されていることになり、例えば図８に示すように、ガイドピン４４が第１の溝部４９Ｃの始点位置ａにあるとき、ねじりコイルバネ５６がガイドピン４４を第１の溝部４９Ｃの端部側に押圧することになる。
その結果、ガイドピン４４が始点位置ａに一時的に係止されるので、所定の力を加えなければ蓋体２０が操作部本体３０に対して勝手に動くことがない。
そして、このとき、ピン固定用ガイド部材４３の第１係合溝４３Ａは、固定側ヒンジ部４８の第1係合ピン５１の外周に係合した状態である。
また、ねじりコイルバネ５６は、操作部本体３０の一方の面と固定側部材４９との間に形成されている空間内に配置されている。
【００３４】
ねじりコイルバネ５６は両端部が開く方向に付勢されている。すなわち、ガイドピン４４は常時外側に付勢されていることになり、例えば図８に示すように、ガイドピン４４が第１の溝部４９Ｃの始点位置ａにあるとき、ねじりコイルバネ５６がガイドピン４４を第１の溝部４９Ｃの端部側に押圧することになる。
その結果、ガイドピン４４が始点位置ａに一時的に係止されるので、所定の力を加えなければ蓋体２０が操作部本体３０に対して勝手に動くことがない。
そして、このとき、ピン固定用ガイド部材４３の第１係合溝４３Ａは、固定側ヒンジ部４８の第1係合ピン５１の外周に係合した状態である。
【００３５】
上記と略同様に、ガイドピン４４が中間点位置ｂにあるとき、ねじりコイルバネ５６がガイドピン４４を第１の溝部４９Ｃと第１の溝部４９Ｃとの交点の端部側に押圧することになる。
その結果、ガイドピン４４が中間点位置ｂに一時的に係止されるので、所定の力を加えなければ蓋体２０を操作部本体３０に対して勝手に動かすことはできない。
そして、このとき、ピン固定用ガイド部材４３の第１係合溝４３Ａと第１係合溝４３Ｂとは、それぞれ、固定側ヒンジ部４８の第1係合ピン５１および第２係合ピン５２の外周に係合した状態である。
【００３６】
また、ガイドピン４４が終点位置ｃにあるとき、ねじりコイルバネ５６がガイドピン４４を第２の溝部４９Ｄの端部側に押圧することになる。
その結果、ガイドピン４４が終点位置ｃに一時的に係止されるので、所定の力を加えなければ蓋体２０を操作部本体３０に対して勝手に動かすことはできない。
そして、このとき、ピン固定用ガイド部材４３の第２係合溝４３Ｂは、固定側ヒンジ部４８の第２係合ピン５２の外周に係合した状態である。
【００３７】
次に、以上のような構成の携帯端末装置１０の動作を、図９（Ａ），（Ｂ），（Ｃ）に基づいて説明する。
なお、図９（Ａ），（Ｂ），（Ｃ）は、操作部本体３０の他方の面、すなわちカメラ３５が搭載された面側から見た透視図である。
【００３８】
まず、図９（Ａ）に示すように、ガイドピン４４が第１の溝部４９Ｃの始点位置ａに係止されている状態が、図１に示す蓋体２０と操作部本体３０とが完全に重なった状態であり、携帯端末装置１０の未使用状態である。
【００３９】
この状態から、図９（Ｂ）に示すように、表示画面２２の画像を横状態で見たいときは、蓋体２０が操作部本体３０に対して９０度横向きになるように、蓋体２０を矢印Ａで示すようにカメラ３５側から見て反時計回り（表示画面２２側からでは時計回り）に回動させる。この際、ガイドピン４４が、ピン固定用ガイド部材４３を介して第１の溝部４９Ｃの始点位置ａから第１の溝部４９Ｃにガイドされて中間点位置ｂに移動する。
【００４０】
ガイドピン４４の移動時には、ねじりコイルバネ５６はその付勢力に抗してガイドピン４４が移動するため、ねじりコイルバネ５６の両端部が接近する方向に縮小するが、ガイドピン４４が中間点位置ｂに到達したとき、その位置ｂでガイドピン４４がねじりコイルバネ５６により溝の端部側に押圧される。その結果、ガイドピン４４、ひいては蓋体２０が操作部本体３０に対して９０度横向きになって、その状態が一時的に係止される。
そして、このとき、蓋体２０のピン固定用ガイド部材４３の第１係合溝４３Ａ、第２係合溝４３Ｂは、それぞれが操作部本体３０の固定側ヒンジ部４８の第1係合ピン５１と第２係合ピン５２とに係合している。
【００４１】
また、蓋体２０と操作部本体３０とを、図９（Ｂ）に示すような蓋体２０が横向き状態から図９（Ｃ）に示すような蓋体２０と操作部本体３０とが同一方向に延設された状態に変更して表示画面２２の画像を縦状態で見たいときは、図９（Ｂ）の状態で蓋体２０を矢印Ａで示すように反時計回り（表示画面２２側からでは時計回り）に回動させる。
この際、ガイドピン４４がピン固定用ガイド部材４３を介して、第１の溝部４９Ｃおよび第２の溝部４９Ｄの中間点位置ｂから第２の溝部４９Ｄにガイドされて第３係止位置ｃに移動する。
【００４２】
ガイドピン４４の移動時には、ねじりコイルバネ５６は徐々に開かれる。ガイドピン４４が第２の溝部４９Ｄに沿って移動された後、ガイドピン４４が第３係止位置ｃに到達したとき、その位置ｃでガイドピン４４がねじりコイルバネ５６の押圧力により溝部４９Ｄに一時的に係止される。その結果、蓋体２０と操作部本体３０とが同一方向に延設された状態が維持される。
そして、このとき、蓋体２０のピン固定用ガイド部材４３の第２係合溝４３Ｂは、固定側ヒンジ部４８の第２係合ピン５２に係合している。
【００４３】
蓋体２０を操作部本体３０に重ね合わせた状態、つまり携帯端末装置１０の使用中止状態にする際は、前述した動作と逆の手順に従って操作を行なえばよい。
すなわち、まず、蓋体２０と操作部本体３０とが、図９（Ｃ）に示すように同一方向に延設した状態となっている場合は、蓋体２０を操作部本体３０の裏側から見て時計回り方向に９０度回動させ、図９（Ｂ）に示すような蓋体２０を横向き状態にする。
【００４４】
次いで、図９（Ｂ）に示すような蓋体２０の横向き状態から、蓋体２０を操作部本体３０の裏側から見て時計回り方向に９０度回動させ、図９（Ａ）に示すような蓋体２０を操作部本体３０に重ねた状態にして携帯端末装置１０の使用中止状態とする。
【００４５】
本実施形態の携帯端末装置１０は、以上のように構成されているので、次のような効果を得ることができる。
（１）カメラ３５が表示画面２２および操作部本体３０の幅方向中央領域に設けられているので、被写体を捉えやすくイメージ通りの画像を得ることができる。
【００４６】
（２）ヒンジ体４０が操作部本体３０の幅方向においてカメラ３５の一方側に設けられ、カメラ３５とヒンジ体４０とが別位置に設けられているので、カメラ３５とヒンジ体４０との回動機構を同軸構造としなくてもよい。ヒンジ体４０のみの回動機構とすればよいので、薄くすることができ、その結果、装置の薄型化を図ることができる。
【００４７】
（３）ヒンジ体４０が、蓋体２０を操作部本体３０に重ね合わせた状態に設定し保持する蓋体設定保持機能と、この蓋体設定保持機能に連続して蓋体２０を操作部本体３０に横向き状態に設定する蓋体横向き設定機能と、この蓋体横向き設定機能に連続して蓋体２０を操作部本体３０にあって両者が同一方向に延設された状態に設定する蓋体延設設定機能を備えているので、蓋体２０とヒンジ体４０との操作により、容易に３つの態様を得ることができる。
【００４８】
（４）固定部側部材４９に形成された円弧状の第１の溝４９Ｃと第２の溝４９Ｄとが、カメラ３５に対して操作部本体３０の長手方向に等距離位置にある始点位置ａと終点位置ｃと中間点位置ｂを備え、第１の溝４９Ｃと第２の溝４９Ｄとは、ガイドピン４４が第１係合ピン５１、第２係合ピン５２を回動中心として９０度ずつ回動移動できるように、円周１／４分の溝に形成されており、サイクロイド機構を構成しているので、蓋体２０を回動させるだけの操作で、装置を容易に３態様とすることができる。
【００４９】
（５）円弧状の第１の溝４９Ｃと第２の溝４９Ｄとが、第１係合ピン５１、第２係合ピン５２を回動中心とする円周１／４分の溝に形成されているので、回動中心をずらしたりせずに加工でき、溝加工が容易である。
【００５０】
（６）固定側部材４９と操作部本体３０の一方の面との間には所定寸法の空間が形成されているので、ガイドピン４４が第１の溝部４９Ｃ等に挿通されたとき、そのガイドピン４４の先端が上記空間部内に突出し、これにより、ガイドピン４４が第１の溝部４９Ｃ等から抜けることがない。その結果、安定かつ確実な回動移動が可能となる。
【００５１】
（７）ガイドピン４４がねじりコイルバネ５６で常時外側に付勢されており、ガイドピン４４が始点位置ａ、中間点位置ｂ、終点位置ｃに到達したとき、コイルバネ５６の付勢力が各位置ａ等の溝の端部側に直角に作用するので、確実に、それぞれの位置ａ、ｂ、ｃに一時的に係止できる。
【００５２】
（８）ガイドピン４４が第１の溝部４９Ｃにガイドされ、始点位置ａから中間点位置ｂまで９０度回動移動するとき、固定側部材４９の第1係合ピン５１にピン固定用ガイド部材４３の第１係合溝４３Ａが係合した状態で回動移動し、また、ガイドピン４４が第２の溝部４９Ｄにガイドされ、中間点位置ｂから終点位置ｃまで９０度回動移動するとき、固定側部材４９の第２係合ピン５２にピン固定用ガイド部材４３の第２係合溝４３Ｂが係合した状態で回動移動するので、ピン固定用ガイド部材４３がガイド時の補強の役割を果たし、安定した回動移動が可能となる。
【００５３】
（９）ガイドピン４４の先端を突出させるために、固定側部材４９と操作部本体３０の一方の面との間に空間を形成してあり、この空間内にねじりコイルバネ５６が配置されているので、有効な空間利用を果たすことができる。
【００５４】
（１０）固定側部材４９のカメラ側端面外周部の形状が、第１係合溝４３Ａ、第２係合溝４３Ｂの外形形状に沿った形状に形成されているので、中間点位置ｂ近傍に凹部領域４９Ａが形成され、その凹部領域４９Ａにカメラ３５が配置されているので、固定側部材  の端部をカメラ３５に近づけて設けることができる。その結果、装置全体の幅方向寸法を小さくすることができ、この点からも装置の小型化を図ることができる。
【００５５】
なお、本発明は前述の実施形態に限定されるものではなく、本発明の目的を達成できる範囲での変形、改良等は本発明に含まれるものである。
例えば、前記実施形態の携帯端末装置では、カメラ３５を蓋体２０と操作部本体３０との幅方向中心に位置するように搭載したが、カメラ３５に換えて指紋センサを搭載してもよい。
このような変形形態によれば、蓋体２０と操作部本体３０との幅方向中心に指紋センサが位置しているので、指紋センサの位置を認識しやすく、左右どちらの手で使う場合でも、前記実施形態と同様の操作性の向上を実現することができ、また携帯端末装置の薄型化を実現することができる。
【００５６】
また、前記実施形態では、ガイドピン押圧機構５５がねじりコイルバネ５６を用いた構成とされ、このねじりコイルバネ５６でガイドピン４４をガイド溝４９Ｂの端部側に付勢して押付けることで、可動側ヒンジ部４２ひいては蓋体２０を３つの態様状態を維持するようになっているが、これに限らない。例えば、図１０および図１１に示すような構成のガイドピン押圧機構６５を備えた携帯端末装置１０Ａとしてもよい。
【００５７】
すなわち、前記ガイドピン４４に相当するガイドピン６６の先端に硬球６７を埋め込むと共に、この硬球６７をガイドピン６６の先端側に付勢するように、ガイドピン６６の内部にコイルバネ６８を収容しておく。
これに対して、操作部本体３０の一方の面には、前記固定側部材４９に対応する係止板６９が固着されている。この係止板６９の表面において、前記ガイド溝４９Ｂの始点位置ａ、中間点位置ｂ、終点位置ｃに対応するそれぞれの位置には三角錐形状の係止凹溝６９Ａが形成されている。
【００５８】
このような構成にすることで、ガイドピン６６、ひいては蓋体２０を回動すると、ガイドピン６６が、ガイド溝４９Ｂの始点位置ａ、中間点位置ｂ、終点位置ｃの各位置に到達したとき、それぞれの始点位置ａ、中間点位置ｂ、終点位置ｃの係止凹溝６９Ａに、ガイドピン６６に埋設された硬球６７が嵌り込み、これにより、ガイドピン６６をそれぞれの位置ａ，ｂ，ｃに一時的に係止できるようになる。
すなわち、蓋体２０を操作部本体３０に対して、重なった状態、横向きにした状態、同一方向に延設した状態の３つの態様に操作することができる。
なお、図１０、図１１において、前記実施形態と同一構造および同一部材には同一符号を付してある。
【００５９】
以上のような本発明の変形形態によれば、前記前記（１）〜（６）および（８）〜（１０）と略同様の効果を得ることができる他、ねじりコイルバネ５６、バネ取付け部材５６が不要となるので、簡単な構成とすることができる。
【００６０】
また、前記実施形態では、ガイドピン４４を所定位置に設定するＶ字状バネ部材としてねじりコイルバネ５６を用いていたが、Ｖ字状バネ部材はこれに限らず、例えば板バネを用いてもよい。そして、このような場合でも、ねじりコイルバネ５６を用いたのと同様の効果が得られる。
【００６１】
さらに、前記実施形態では、連結機構であるヒンジ体４０を、カメラ３５に対して操作部本体３０の幅方向の一方側（カメラ３５側から見て左側）に配設したが、これに限らず、カメラ３５側から見て右側に配設してもよい。そして、この場合、ガイド溝４９Ｂ等は前記実施形態とカメラ３５に対して対照形に形成すればよい。
【００６２】
また、前記実施形態では、連結機構であるヒンジ体４０を、カメラ３５に対して操作部本体３０の幅方向の一方側（カメラ３５側から見て左側）に配設し、上記変形形態では、カメラ３５側から見て右側に配設したが、これに限らない。
例えば、カメラ３５の位置を操作部本体３０の幅方向中央領域に設定した状態で操作部本体３０の長手方向に沿って操作部３１側にずらし、あるいは上部側にずらし、カメラ３５の上方領域あるいは操作部３１側の下方領域にヒンジ体４０を配設するようにしてもよい。この場合、ヒンジ体４０の向き、およびピン固定用ガイド部材４３の向きを前記実施形態と変えればよい。
このようにしても、前記（１）〜（１０）と略同様の効果を得ることができる。
【産業上の利用可能性】
【００６３】
本発明の携帯端末装置は、操作部本体および表示画面の幅方向中心にカメラを搭載した操作部本体に対して、表示画面を有する蓋体を完全に重ね合わせた状態、蓋体を横向きにした状態、蓋体を操作部本体と同一方向に延設した状態の３態様に保持させる際に利用することができる。
【図面の簡単な説明】
【００６４】
【図１】本発明の携帯端末装置の一実施形態を表し、図１（Ａ）は蓋体を操作部本体に対して重ね合わせた状態の全体正面図、図２（Ｂ）は（Ａ）におけるＢ矢視で全体側面図である。
【図２】前記実施形態の携帯端末装置を表し、図２（Ａ）は蓋体を操作部本体に対して横向きにした状態の全体正面図、図２（Ｂ）は（Ａ）におけるＢ矢視で全体側面図である。
【図３】前記実施形態の携帯端末装置を表し、図２（Ａ）は蓋体を操作部本体に対して同一方向に延設した状態の全体正面図、図２（Ｂ）は（Ａ）におけるＢ矢視で全体側面図である。
【図４】前記実施形態の蓋体と連結機構を構成する可動側部材とを蓋体の背面から見た状態を示す透視正面面図である。
【図５】前記実施形態の携帯端末装置の操作部本体と連結機構を構成する固定側部材とを操作部本体の背面から見た状態を示す透視正面面図であり、図１の詳細図である。
【図６】前記実施形態の蓋体と操作部本体と両者間に設けられた連結機構との詳細を示す縦断面の組立て図である。
【図７】前記実施形態の蓋体と操作部本体と両者間に設けられた連結機構との詳細を示す縦断面の分解図である。
【図８】図７における  VIII矢視図であり前記実施形態のヒンジ体とガイドピン押圧機構との詳細を示す透視正面図である。
【図９】前記実施形態の携帯端末装置の３つの態様を表す概略図を表し、図９（Ａ）は蓋体を操作部本体に対して重ね合わせた状態、図９（Ｂ）は（Ａ）状態から蓋体を回動して蓋体を操作部本体に対して横向きにした状態、図９（Ｃ）は（Ｂ）状態から蓋体を回動して蓋体を操作部本体に対して同一方向に延設した状態を示す透視図である。
【図１０】本発明のガイドピン押圧機構の変形形態を示す部分詳細の平面図である。
【図１１】図１０におけるXI−XI線に沿った縦断面図である。
【符号の説明】
【００６５】
１０  携帯端末装置
２０  蓋体
２２  表示画面
３０  操作部本体
３１  操作部である操作部
３５  撮影手段であるカメラ
４０  連結機構であるヒンジ体
４２  ヒンジ体を構成する可動側ヒンジ部
４４  ガイドピン
４８  ヒンジ体を構成する固定側ヒンジ部
４９  固定部材
４９Ａ  凹部
４９Ｂ  ガイド溝
４９Ｃ  第１の溝部
４９Ｄ  第２の溝部
５１  第1係合ピン
５２  第２係合ピン
５５  ガイドピン押圧機構
５６  Ｖ字状バネ部材であるねじりコイルバネ
５７  バネ固定ピン
ａ  始点位置
ｂ  中間点位置
ｃ  終点位置
【図１】
2010109767.tif 000003
【図２】
2010109767.tif 000004
【図３】
2010109767.tif 000005
【図４】
2010109767.tif 000006
【図５】
2010109767.tif 000007
【図６】
2010109767.tif 000008
【図７】
2010109767.tif 000009
【図８】
2010109767.tif 000010
【図９】
2010109767.tif 000011
【図１０】
2010109767.tif 000012
【図１１】
2010109767.tif 000013